(57)【要約】【課題】横框と縦框の連結強度を確保しつつコストダウンした複合サッシの框体を提供する。【解決手段】上下の横框５０の端面を左右の縦框６０の側面に突き合わせ方形状に框組みしてなり、横框５０と縦框６０は室外側の金属框５１、６３と金属框の室内側露出面を覆う樹脂框５２、６４とから構成されてなる框体において、金属縦框６３はその内周面に金属横框５１の端部を納めて固定する横框保持部６３ｂを有し、樹脂縦框６４は横框保持部６３ｂよりも内周側位置に切欠状の当接部６４ａを有し、金属横框５１はその端部を金属縦框６３の横框保持部６３ａに納めて固定され、樹脂横框５２はその端部を樹脂縦框６４の当接部６４ａに当接させてなる。【選択図】図４
2006183374.tif 000002
【特許請求の範囲】
【請求項１】
上下の横框の端面を左右の縦框の側面に突き合わせ方形状に框組みしてなり、上記横框と縦框は室外側の金属框と該金属框の室内側露出面を覆う樹脂框とから構成されてなる複合サッシの框体において、
上記縦框を構成する金属縦框はその内周面に上記横框を構成する金属横框の端部を納めて固定する横框保持部を有し、上記縦框を構成する樹脂縦框は上記横框保持部よりも内周側位置に段部を有し、
上記金属横框はその端部を上記金属縦框の横框保持部に納めて固定され、上記横框を構成する樹脂横框はその端部を上記樹脂縦框の段部に位置させてなることを特徴とする複合サッシの框体。
【請求項２】
上記縦框は内周面の長手方向全長に渡ってガラス開口溝を有し、該ガラス開口溝は少なくとも室外側面と底面の一部が上記金属縦框からなり、該金属縦框の室内側面には樹脂縦框が取付けられてなり、
上記横框は外周面の長手方向全長に渡ってレール溝を有し、該レール溝は室内側面と底面及び室外側面が上記金属横框からなり、該金属横框の室内側面には樹脂横框が取付けられてなり、
上記金属縦框は上記ガラス開口溝の底面に突起状または段差状の室内面当接部が形成されて室外側面との間に上記横框保持部を形成し、該横框保持部に上記横框の端面とレール溝の室内側面と室外側面がそれぞれ当接し納められることを特徴とする請求項１記載の複合サッシの框体。
【請求項３】
上記樹脂縦框の段部は上記ガラス開口溝の開口部に形成されてなることを特徴とする請求項２記載の複合サッシの框体。
【請求項４】
上記横框と縦框を連結した角部にカバー体を設け、該カバー体は上記樹脂横框及び樹脂縦框とそれぞれ連続状とされてなることを特徴とする請求項１〜３のいずれか１項に記載の複合サッシの框体。
【請求項５】
上記縦框の上端面には上端ブロックが設けられ、該上端ブロックと上記カバー体は一体形成されてなることを特徴とする請求項４記載の複合サッシの框体。
【発明の詳細な説明】
【技術分野】
【０００１】
本発明は複合サッシに用いられる框体に関し、特に室外側が金属材からなり室内側が樹脂材からなる複合材により構成される複合サッシの框体に関する。
【背景技術】
【０００２】
従来から、室外側が金属材からなり、室内側が樹脂材からなる複合材により構成される框体が知られている。框体は、上下の横框と左右の縦框とを方形状に框組みしてなるものである。そして框体の内部にはガラス体が納められて障子を構成する。この障子は、一般的に複合材から構成される枠体内に納められるもので、このような複合サッシとしては例えば特許文献１に挙げるようなものがある。
【特許文献１】特許第３５０７０３１号公報
【０００３】
横框は、内周側にはガラス体を納めるためのガラス開口溝を有し、外周側には枠体のレールに案内されるレール溝を有している。また、縦框は、内周側にガラス体を納めるためのガラス開口溝を有している。横框は、縦框のガラス開口溝と略同じ幅に形成されており、横框の端部を縦框のガラス開口溝に飲み込ませた状態で両者を固定している。
【発明の開示】
【発明が解決しようとする課題】
【０００４】
従来の複合サッシの框体では、横框は、ガラス開口溝やレール溝の室外側面及び底面は金属横框で構成し、室内側面については樹脂横框で構成している。そのため、金属横框は縦框のガラス開口溝の室外側面に、樹脂横框は縦框のガラス開口溝の室内側面に、それぞれ当接し挟持されている。
【０００５】
しかし、横框の端部室内側においては樹脂材のみが縦框から挟持された状態となるため、連結強度が十分とは言えなかった。また、樹脂横框を室内側には直接露出しない横框の端部まで設けていることにより、コストアップの要因ともなっていた。
【０００６】
本発明は、上記課題を解決すべくなされたものであり、横框と縦框の連結強度を確保しつつコストダウンした複合サッシの框体を提供することを目的とする。
【課題を解決するための手段】
【０００７】
上記課題を解決するため、本発明に係る複合サッシの框体は、上下の横框の端面を左右の縦框の側面に突き合わせ方形状に框組みしてなり、上記横框と縦框は室外側の金属框と該金属框の室内側露出面を覆う樹脂框とから構成されてなる複合サッシの框体において、
上記縦框を構成する金属縦框はその内周面に上記横框を構成する金属横框の端部を納めて固定する横框保持部を有し、上記縦框を構成する樹脂縦框は上記横框保持部よりも内周側位置に切欠状の当接部を有し、
上記金属横框はその端部を上記金属縦框の横框保持部に納めて固定され、上記横框を構成する樹脂横框はその端部を上記樹脂縦框の当接部に当接させてなることを特徴として構成されている。
【０００８】
また、本発明に係る複合サッシの框体は、上記縦框は内周面の長手方向全長に渡ってガラス開口溝を有し、該ガラス開口溝は少なくとも室外側面と底面の一部が上記金属縦框からなり、該金属縦框の室内側面には樹脂縦框が取付けられてなり、
上記横框は外周面の長手方向全長に渡ってレール溝を有し、該レール溝は室内側面と底面及び室外側面が上記金属横框からなり、該金属横框の室内側面には樹脂横框が取付けられてなり、
上記金属縦框は上記ガラス開口溝の底面に突起状または段差状の室内面当接部が形成されて室外側面との間に上記横框保持部を形成し、該横框保持部に上記横框の端面とレール溝の室内側面と室外側面がそれぞれ当接し納められることを特徴として構成されている。
【０００９】
さらに、本発明に係る複合サッシの框体は、上記樹脂縦框の当接部は上記ガラス開口溝の開口部に切欠状に形成されてなることを特徴として構成されている。
【００１０】
さらにまた、本発明に係る複合サッシの框体は、上記横框と縦框を連結した角部にカバー体を設け、該カバー体は上記樹脂横框及び樹脂縦框とそれぞれ連続状とされてなることを特徴として構成されている。
【００１１】
そして、本発明に係る複合サッシの框体は、上記縦框の端面には端面ブロックが設けられ、該端面ブロックと上記カバー体は一体形成されてなることを特徴として構成されている。
【発明の効果】
【００１２】
本発明に係る複合サッシの框体によれば、金属縦框は内周面に横框保持部を有し、樹脂縦框は横框保持部よりも内周側位置に切欠状の当接部を有し、金属横框は横框保持部に納められ、樹脂横框は当接部に当接してなることにより、樹脂横框は横框の端部まで設けることなく金属横框よりも短く形成することができ、したがってコストダウンを図ることができる。
【００１３】
また、本発明に係る複合サッシの框体によれば、横框のレール溝の室内外面とも金属横框で構成され、それが金属縦框のガラス開口溝の底面に形成された横框保持部に当接し固定されることにより、横框を縦框のガラス開口溝に飲み込ませて室内外の両側を金属材同士で強固に固定することができる。
【００１４】
さらに、本発明に係る複合サッシの框体によれば、樹脂縦框の当接部はガラス開口溝の開口部に切欠状に形成されてなることにより、樹脂横框は縦框の最も内周側から切欠の分だけ飲み込まれるように設けられるので、樹脂横框を短くすることができ、よりコストダウンを図ることができる。
【００１５】
さらにまた、本発明に係る複合サッシの框体によれば、横框と縦框を連結した角部にカバー体を設け、樹脂横框及び樹脂縦框とそれぞれ連続状とされてなることにより、横框と縦框の連結部分における水滴の室内側に対する浸入を防ぐことができる。
【００１６】
そして、本発明に係る複合サッシの框体によれば、端面ブロックとカバー体が一体形成されてなることにより、カバー体を安価に製造することができる。
【発明を実施するための最良の形態】
【００１７】
本発明の実施形態について図面に沿って詳細に説明する。図１は、本実施形態における框体２を用いたサッシの縦断面図であり、図２はその横断面図である。本実施形態の框体２は、横框である下框４０及び上框５０と、左右の縦框６０とを方形状に框組みしてなるものであって、その内部にガラス体３を納めて障子を構成する。障子は、外障子４と内障子５とが用意され、これらは建物開口部に設けられる枠体１内に引き違い状に納められて、引き違いサッシを構成する。
【００１８】
まず、図１及び図２によりサッシ全体について説明する。枠体１は、金属材からなる金属下枠１１と金属上枠２１及び左右の金属縦枠３１、３１を方形状に枠組みしてなり、それが建物開口部に対して固定されている。枠体１は、その見込方向中間位置に四周に渡って設けられるフィン８が建物躯体に当接し、ビス止めされることで固定されている。すなわち、このサッシはいわゆる半外付けサッシである。また、金属下枠１１の室内面下端部には、室内側に向かって突出する固定部１１ｄが形成されており、この固定部１１ｄも建物躯体に対してビス止めされる。
【００１９】
金属下枠１１の上面には、その長手方向略全長に渡って外レール１１ａと内レール１１ｂ及び網戸レール１１ｃが形成されており、外レール１１ａは外障子４を、内レール１１ｂは内障子５を、網戸レール１１ｃは網戸６を、それぞれサッシの長手方向に案内する。また、上枠２０の下面には、その長手方向略全長に渡って外レール２５と内レール２６及び網戸レール２７が形成されている。これらは金属下枠１１の各レールと対応した位置に形成されており、それぞれ外障子４と内障子５及び網戸６をサッシの長手方向に案内する。
【００２０】
金属縦枠３１の内周面には、外障子４を閉じた状態でその側面と対向する位置に外突出部３１ａが長手方向略全長に渡って設けられる。また、内障子５を閉じた状態でその側面と対向する位置に内突出部３１ｂが長手方向略全長に渡って設けられる。これらは、外障子４及び内障子５を閉じた際にサッシの気密性及び水密性を確保するために設けられている。
【００２１】
金属枠の室内側露出部分には、樹脂枠が設けられている。金属下枠１１の室内側露出部分には樹脂下枠１２が、金属上枠２１の室内側露出部分には樹脂上枠２２が、金属縦枠３１の室内側露出部分には樹脂縦枠３２が、それぞれ設けられる。
【００２２】
次に、外障子４と内障子５について説明する。これらの障子は、横框である下框４０及び上框５０と、左右の縦框６０、６０とを方形状に框組みしてなる框体２の内部に、ガラス体３を納めてなるものである。そして、框体２は、室外側に金属材を配し、室内側に樹脂材を配した複合材からなるものである。
【００２３】
下框４０は、室外側の金属下框４１と、その室内面に取付けられる樹脂下框４２とから構成されている。下框４０の上部は、長手方向略全長に渡って、グレチャン７を挟持しガラス体３を納めることができるように、凹形状とされた溝状のガラス開口部４５を形成している。ガラス開口部４５の室外側は金属下框４１、室内側は樹脂下框４２により構成されている。また、ガラス開口部４５の底面は室外側が金属下框４１で、室内側が樹脂下框４２で構成されている。
【００２４】
下框４０の下端部には、溝状のレール溝４６が形成されており、そこに戸車４３が設けられて、外障子４は外レール１１ａに、内障子５は内レール１１ｂに、それぞれ載置される。レール溝４６の室内側面と底面及び室外側面はいずれも金属下框４１により構成されており、室内側面についてはさらに樹脂下框４２が覆っている。
【００２５】
上框５０は、室外側の金属上框５１と、その室内面に取付けられる樹脂上框５２とから構成されている。上框５０の下部は、長手方向略全長に渡って、グレチャン７を挟持しガラス体３を納めることができるように、凹形状とされた溝状のガラス開口部５５を形成している。ガラス開口部５５の室外側は金属上框５１、室内側は樹脂上框５２により構成されている。また、ガラス開口部５５の底面は室外側が金属上框５１で、室内側が樹脂上框５２で構成されている。
【００２６】
上框５０の上端部には、溝状のレール溝５６が形成されており、外障子４は上枠２０の外レール２５に案内され、内障子５は上枠２０の内レール２６に案内される。レール溝５６の室内側面と底面及び室外側面はいずれも金属上框５１により構成されており、室内側面についてはさらに樹脂上框５２が覆っている。
【００２７】
縦框６０は、枠側縦框６０ａと召合せ框６０ｂとで形状が異なる。枠側縦框６０ａは、左右いずれも室外側の金属縦框６１と、その室内面に取付けられる樹脂縦框６２とから構成されている。召合せ框６０ｂは、外障子４側は金属材からなる召合せ金属框６３のみから構成され、内障子５側は召合せ金属框６３と、その室内露出面に取付けられる召合せ樹脂框６４とから構成される。
【００２８】
枠側縦框６０ａの金属縦框６１の内周面には、グレチャン７を挟持しガラス体３を納めることができるように、凹形状で溝状のガラス開口部６５が形成されている。枠側縦框６０ａにおけるガラス開口部６５の室外側面は金属縦框６１、室内側面は樹脂縦框６２により構成されている。また、ガラス開口部６５の底面は室外側が金属縦框６１で、室内側が樹脂縦框６２で構成されている。
【００２９】
召合せ框６０ｂの召合せ金属框６３の内周面にも、ガラス開口部６５が形成されている。召合せ框６０ｂにおけるガラス開口部６５は室外側面と室内側面及び底面を召合せ金属框６３により構成している。さらに、ガラス開口部６５の室内側面は召合せ樹脂框６４が覆っている。
【００３０】
この框体２における、横框と縦框の連結について説明する。図３には、外障子４と内障子５を構成する各框体２の横断面図を示す。すなわち、この図では縦框６０の断面が示されており、縦框６０の上下端部では、ハッチングで示した領域７０に横框を構成する金属横框を、領域７１に横框を構成する樹脂横框を、それぞれ納め固定する。
【００３１】
外障子４の枠側縦框６０ａと内障子５の枠側縦框６０ａは、金属縦框６１の内周面室内端部に突起状の室内面当接部６１ａを有している。この室内面当接部６１ａとガラス開口部６５の底面及び室外側面によって横框保持部６１ｂが形成される。室内面当接部６１ａは、横框保持部６１ｂの幅が下框４０の金属下框４１及び上框５０の金属上框５１の幅と略同じとなるように設けられる。
【００３２】
外障子４の召合せ框６０ｂは、枠側縦框６０ａの内周面と対向する召合せ金属框６３のガラス開口部６５の底面に段差状の室内面当接部６３ａを有している。この室内面当接部６３ａとガラス開口部６５の底面及び室外側面によって横框保持部６３ｂが形成される。内障子５の召合せ框６０ｂは、枠側縦框６０ａの内周面と対向する召合せ金属框６３のガラス開口部６５の底面に突起状の室内面当接部６３ａを有している。この室内面当接部６３ａとガラス開口部６５の底面及び室外側面によって横框保持部６３ｂが形成される。
【００３３】
金属下框４１及び金属上框５１の一端部は、金属縦框６１の横框保持部６１ｂに納められ、他端部は、召合せ金属框６３の横框保持部６３ｂに納められる。すなわち、金属横框は図３の領域７０に納められることになる。そして、金属横框は金属縦枠に対してネジ止めなどにより固定される。
【００３４】
なお、枠側縦框６０ａにおいては、樹脂縦框６２が金属縦框６１の室内面当接部６１ａに係合しているため、樹脂縦框６２の一部が領域７０にかかっている。そこで、樹脂縦框６２の上下端部においては、室内面当接部６１ａに対する係合部分を切り欠いて、横框保持部６１ｂに納められる金属横框の障害にならないようにしている。
【００３５】
また、枠側縦框６０ａの樹脂縦框６２及び召合せ框６０ｂの召合せ樹脂框６４の内周側先端部には、段部６２ａ、６４ａがそれぞれ形成されている。樹脂横框である樹脂下框４２の一端部は、枠側縦框６０ａの樹脂縦框６２に形成された段部６２ａに配置される。また、樹脂下框４２の他端部は、召合せ框６０ｂの召合せ樹脂框６４に形成された段部６４ａに配置される。また、樹脂上框５２についても同様である。すなわち、樹脂横框は図３の領域７１に納められることになる。
【００３６】
図４には、内障子５の召合せ框６０ｂと上框５０の連結部分の斜視図を示している。この図に示すように、金属横框である金属上框５１の端部は、レール溝５６の室外側面がガラス開口部６５を構成する召合せ金属框６３の室外側面に当接し、レール溝５６の室内側面が召合せ金属框６３の室内面当接部６３ａに当接し、さらに端面が召合せ金属框６３のガラス開口部６５底面に当接し、横框保持部６３ｂに納められる。樹脂横框である樹脂上框５２は、金属上框５１よりも短く形成されており、その端部は召合せ樹脂框６４の段部６４ａに配置されている。
【００３７】
また、図５には、枠側縦框６０ａと上框５０の連結部分の斜視図を示している。この図に示すように、金属横框である金属上框５１の端部は、レール溝５６の室外側面がガラス開口部６５を構成する金属縦框６１の室外側面に当接し、レール溝５６の室内側面が金属縦框６１の室内面当接部６１ａに当接し、さらに端面が金属縦框６１のガラス開口部６５底面に当接し、横框保持部６１ｂに納められる。樹脂横框である樹脂上框５２の端部は、樹脂縦框６２の段部６２ａに配置されている。
【００３８】
横框のレール溝５６を室内外面とも金属横框（金属上框５１及び金属下框４１）で構成し、その端部を金属縦框６１または召合せ金属框６３のガラス開口部６５底面に形成された横框保持部６１ｂ、６３ｂに納めることで、金属材同士での連結とすることができるので、横框と縦框の連結強度を十分に確保することができる。また、樹脂縦框６２の段部６２ａは、金属縦框６１の横框保持部６１ｂよりも内周側に位置し、また召合せ樹脂框６４の段部６４ａは、召合せ金属框６３の横框保持部６３ｂよりも内周側に位置するので、端部を各段部６２ａ、６４ａに配置させる樹脂横框は、金属横框よりも短く形成される。したがって、樹脂横框にかかるコストを低減することができる。また、段状に形成された段部６２ａ、６４ａに樹脂横框の端部を配置させるので、樹脂横框の端部を段部６２ａ、６４ａにより隠しつつ、固定はしていないので温度変化による樹脂横框の収縮にも対応することができる。
【００３９】
このように樹脂上框５２を金属上框５１よりも短く形成したことにより、横框と縦框の連結部分において金属上框５１が露出した状態となる。この連結部分に端部カバー体８０を設ける。図６には図５の枠側縦框６０ａと上框５０の連結部分に対し端部カバー体８０を設けた状態を示している。
【００４０】
図６に示すように、端部カバー体８０は、上框５０に取付けられる横框カバー８１と、枠側縦框６０ａに取付けられる縦框カバー８２の２部材から構成されている。横框カバー８１は、樹脂上框５２の端面に連係してその部分から金属縦框６１までの間を覆っている。また、縦框カバー８２は、金属縦框６１の上端部を覆い、樹脂縦框６２の上端前面と連係すると共に、金属縦框６１の上端面に取付けられる上端ブロックとしての機能も有している。上端ブロックは、上框５０のレール溝５６と同様に上枠２０の外レール２５や内レール２６を跨ぐように形成され、また上框５０のレール溝５６よりもレールを跨ぐ幅が狭くなるように形成されている。これにより、外障子４や内障子５を走行させた際における振れ止めの機能を有している。
【００４１】
横框カバー８１と縦框カバー８２は、互いに端部が重なり合うように形成されており、これによって端部カバー体８０は上框５０と枠側縦框６０ａにより形成される角部全体を連続的に覆っている。端部カバー体８０としては、廃材から形成されるリサイクル材を用いることができ、通常の樹脂框よりも安価に製造することができるので、左右の縦框６０間の全長に樹脂框を設ける場合に比べて、框体２全体としてのコストを削減することができる。
【００４２】
これまで、本発明の実施形態について説明したが、本発明の適用は本実施形態には限られず、その技術的思想の範囲内において様々に適用されうるものである。
【図面の簡単な説明】
【００４３】
【図１】本実施形態における框体を用いたサッシの縦断面図である。
【図２】本実施形態における框体を用いたサッシの横断面図である。
【図３】外障子と内障子を構成する各框体の横断面図である。
【図４】召合せ框と上框の連結部分の斜視図である。
【図５】枠側縦框と上框の連結部分の斜視図である。
【図６】図５の連結部分に端部カバー体を設けた状態の斜視図である。
【符号の説明】
【００４４】
１    枠体
２    框体
３    ガラス体
４    外障子
５    内障子
１０    下枠
２０    上枠
３０    縦枠
４０    下框
５０    上框
５１    金属上框
５２    樹脂上框
５５    ガラス開口部
５６    レール溝
６０    縦框
６０ａ  枠側縦框
６０ｂ  召合せ框
６１    金属縦框
６１ａ  室内面当接部
６１ｂ  横框保持部
６２    樹脂縦框
６２ａ  当接部
６３    召合せ金属框
６３ａ  室内面当接部
６４    召合せ樹脂框
６４ａ  当接部
６５    ガラス開口部
８０    端部カバー体
【図１】
2006183374.tif 000003
【図２】
2006183374.tif 000004
【図３】
2006183374.tif 000005
【図４】
2006183374.tif 000006
【図５】
2006183374.tif 000007
【図６】
2006183374.tif 000008